Podtech/llm-jp-corpus-v4-ja_patent huggingface dataset:
(57)【要約】      （修正有）【課題】氷を包装する際に真空包装機を用いて真空包装をすることにより、衛生的で新鮮な真空包装された氷を提供する。【解決手段】袋１内に氷２を入れ真空包装機を用いて袋１を真空包装することにより、氷２が従来に比べしまって硬くなり、溶解、崩れ、かけが減り衛生的で新鮮な氷を提供することができ、品質も安定する。【選択図】図１
0003184038.tif 000002
【実用新案登録請求の範囲】
【請求項１】
氷の大きさ形状を問わず、氷を包装する際、真空包装機を用いて真空包装し、氷を収納することを特徴とする氷の真空包装。
【考案の詳細な説明】
【技術分野】
【０００１】  本考案は、氷の包装を真空包装することで氷の溶解、崩れ、かけがへり衛生的、且つ、新鮮な氷を提供できる氷の包装方法である。
【背景技術】
【０００２】  従来、氷の包装は、氷を直接ビニール等に入れ包装する方法が一般的であった。
【考案の概要】
【考案が解決しようとする課題】
【０００３】  氷を直接ビニール等に入れて包装すると溶解になりやすく、又、崩れやかけの原因が問題となっていた。従って、氷を包装する際、真空包装機を用いて包装することにより、衛生的、且つ、新鮮な氷の包装が可能となり、前述の欠点を解決しようとするものである。
【課題を解決するための手段】
【０００４】  この課題を解決するため、本考案である氷の真空包装は、氷を包装する際、真空包装機を用いて真空包装をすることにより問題点を解決している。
【考案の効果】
【０００５】  上述したように、本考案によれば下記の効果を奏する。
（１）氷の形状や大きさを問わず、氷の溶解が減る。
（２）氷のしまりもよくなり、従来に比べ硬くなる。
（３）氷の崩れやかけが減る。
（４）氷の鮮度が保持できる。
（５）衛生的で新鮮な氷を提供することができる。
（６）品質も安定する。
【図面の簡単な説明】
【０００６】
【図１】本考案の実施例を示す正面図である。
【図２】本考案の実施例を示す断面図である。
【符号の説明】
【０００７】  １  袋
２  氷
【図１】
0003184038.tif 000003
【図２】
0003184038.tif 000004
【手続補正書】
【提出日】平成25年3月12日(2013.3.12)
【手続補正１】
【補正対象書類名】実用新案登録請求の範囲
【補正対象項目名】全文
【補正方法】変更
【補正の内容】
【実用新案登録請求の範囲】
【請求項１】
真空包装された氷であって、袋内に氷を入れ、真空包装機を用いて前記袋を真空包装したことを特徴とする氷。
(57)【要約】      （修正有）【課題】長時間パッド交換が出来ないとき、これを重ねて使用することにより、被介護者の尿等が溜まり患部が皮膚あれ等が生じ、ひどいときには皮膚疾患等になることを防ぎ、介護者の体力的心理的に大きな助けとなる大人用介護用パッドを提供する。【解決手段】パッドの裏側に一つ又は複数の切り込み３を備えることにより、尿を通過させるようにするかあるいは、パッドの裏側に一つ又は複数の小穴４を備えることにより、尿を通過させるようにして大人用介護用パッドを形成する。【選択図】図１
0003184055.tif 000002
【実用新案登録請求の範囲】
【請求項１】
パッドの裏側に一つ又は複数の切り込みを備えることにより、尿を通過させるようにしたことを特徴とする大人用介護用パッド。
【請求項２】
パッドの裏側に一つ又は複数の小穴を備えることにより、尿を通過させるようにしたことを特徴とする大人用介護用パッド。
【請求項３】
請求項１又は請求項２に記載の大人用介護用パッドの切り込み又は、小穴を取り外しが可能なシールを施したことを特徴とする大人用介護用パッド。
【考案の詳細な説明】
【技術分野】
【０００１】
大人用介護パッドに関する考案
【背景技術】
【０００２】
大人用介護パッドは尿が漏れないようにビニールで包まれている。
【先行技術文献】
【特許文献】
【０００３】
【特許文献１】特開2006-255385公報
【考案の概要】
【考案が解決しようとする課題】
【０００４】
従来のパッドでは、被介護者の尿等が介護パッドに溜まり、尿が患部に触れあうため、皮膚荒れ等が生じ、ひどい時には皮膚疾患等になりやすいという課題がある。
【課題を解決するための手段】
【０００５】
パッドの裏側に一つ又は複数の切り込みを備えることにより、尿を通過させるようにしたことを特徴とする大人用介護用パッド。
【０００６】
パッドの裏側に一つ又は複数の小穴を備えることにより、尿を通過させるようにしたことを特徴とする大人用介護用パッド。
【０００７】
大人用介護用パッドの切り込み又は、小穴を取り外しが可能なシールを施したことを特徴とする大人用介護用パッド。
【考案の効果】
【０００８】
やむを得ず長時間パッド交換が出来ないとき(例えば夜間)これを重ねて使用することにより、従来のパッドでは、被介護者の尿等が溜まり患部が皮膚あれ等が生じ、ひどいときには皮膚疾患等になりやすい。このようなことを防ぐことにより、介護者の体力的心理的に大きな助けとなった。
【図面の簡単な説明】
【０００９】
【図１】本考案の大人用介護用パッドの構成（ａ）大人用介護用パッドの裏側にスリットを設けたスリット型（ｂ）大人用介護用パッドの裏側に穴を設けた穴開け型
【図２】本考案の大人用介護用パッドの使用図（ａ）外パッド（大パッド）  （ｂ）本考案の大人用介護用パッド（中パッド）  （ｃ）重ねて使用している状態
【考案を実施するための形態】
【００１０】
図１は、本考案の大人用介護用パッドの構成で、（ａ）は、スリット型、（ｂ）は穴開け型を示す。
（ａ）のスリット型は、大人用介護用パッドの裏側に一つ又は複数の切り込み３を設けたもので、（ｂ）の穴開け型は、大人用介護用パッドの裏側に一つ又は複数の小穴４を設けたものである。
大人用介護用パッドの裏側の設けた切り込みや、小穴をカバーするためにシールで塞ぎ、使用時に外して使用してもよい。
【００１１】
図２は、本考案の大人用介護用パッドの使用図で、（ａ）は、外パッド、（ｂ）は本発明の大人用介護用パッド、（ｃ）は使用図を示す。
外パッドの内側に、本発明の大人用介護用パッドを、（ｃ）のように重ねて使用する。尿は、大人用介護用パッド１に当たり、その吸収材に尿が浸透するが、大人用介護用パッドの裏側に切り込みや、小穴が開いているので、尿が外パッド５にしみ出るので、大人用介護用パッドに尿が溜まらず、使用者の皮膚を傷めることは少なくなる。
【００１２】
被介護者に約1年間使用した。介護者(４人)及びヘルパーさんを含めてパッド交換が楽になったし、被介護者が皮膚疾患等になることを、防ぐことが出来た。
【産業上の利用可能性】
【００１３】
被介護者に皮膚疾患が少ない大人用介護用パッドを提供する。  
【符号の説明】
【００１４】
１  大人用介護用パッド
２  パッド本体
３  切り込み
４  小穴
５  外パッド
【図１】
0003184055.tif 000003
【図２】
0003184055.tif 000004
(57)【要約】      （修正有）【課題】地震等の揺れや衝撃が発生した際においてもラック上等の載置物品の落下が防止できる滑り止め防止具を提供する。【解決手段】全体がゴム製で、上面部２と上面部２の側縁から下方に連続一体に延び出す一対の側面部３とからなり、物品の載置部を構成する棒状の被装着部に上方から嵌め込み装着されて使用される。【選択図】図１
0003184056.tif 000002
【実用新案登録請求の範囲】
【請求項１】
全体がゴム製で、上面部と前記上面部の側縁から下方に連続一体に延び出す一対の側面部とからなり、
物品の載置部を構成する棒状の被装着部に、上方から嵌め込み装着されて使用されることを特徴とする載置物品の滑り止め防止具。
【請求項２】
前記上面部の上面に、前記被装着部の棒状に沿う方向に複数の凸条が形成されてなる請求項１記載の載置物品の滑り止め防止具。
【請求項３】
前記側面部の外面に、上下方向に複数の凸条が形成されてなる請求項１記載の載置物品の滑り止め防止具。
【請求項４】
前記両側面部間の距離が下方に行くに伴って小さくなっている請求項１記載の載置物品の滑り止め防止具。
【請求項５】
前記上面部と前記両側面部の内部にわたって、前記嵌め込み装着を強固とする補強金属片が埋設されてなる請求項１記載の載置物品の滑り止め防止具。
【考案の詳細な説明】
【技術分野】
【０００１】  この考案は、倉庫のラック（棚）等において使用される載置物品の滑り止め防止具に関する。
【背景技術】
【０００２】  例えば、倉庫内においてラック上に種々の物品がパレットを介して載置収納されているが、揺れの大きい地震が発生してラックが揺れたり傾いたりするとパレットが滑って位置ずれし、そこに載置された物品が落下する問題が発生する。
【考案の概念】
【考案が解決しようとする課題】
【０００３】  この考案は上記の事情に鑑みて行ったもので、地震等の揺れや衝撃が発生した際においてもラック上の載置物品の落下が防止できるようにすることを目的とする。
【課題の解決手段】
【０００４】  この考案では、全体がゴム製で、上面部と前記上面部の側縁から下方に連続一体に延び出す一対の側面部とからなり、物品の載置部を構成する棒状の被装着部に、上方から嵌め込み装着されて使用されることを特徴とする載置物品の滑り止め防止具を提供する。
【０００５】  上記構成の滑り止め具が使用されると、滑り止め具それぞれが弾力的に物品の底面に密着することでその滑りが抑制され、これにより、地震等の衝撃により物品が位置ずれすることが防止され、物品が載置部上からから落下することが防止される。
【０００６】  上記滑り止め具は、天然ゴム、合成ゴム、または、それらの混合ゴムが成形されて得られ、その硬度は５５〜６５度、耐寒性は５０〜６０度で、耐水性に優れるものが好適に用いられる。物品の載置部は例えばラック等であり、棒状の構成部はその一部を構成する枠や桟等となる。物品は収納物そのもの、収納物を載せるパレット、収納物を一体とするパレット等全てに適用される。
【０００７】  上記滑り止め具は、上面部の上面に被装着部の棒状に沿う方向に複数の凸条が形成される構成とされることで摩擦抵抗が増大され、凸条に直交する方向の滑り防止がより効果的に行われる。
【０００８】  また、側面部の外面に上下方向に複数の凸条が形成されてなる構成とされることで、側面部が補強されて被装着部への装着取り付けが強固になされる。
【０００９】  また、両側面部間の距離が下方に行くに伴って小さくなっている構成とされることで、両側面部が強固に密着して被装着部への装着取り付けが強固になされる。
【００１０】  また、上面部と両側面部の内部にわたって、嵌め込み装着を強固とする補強金属片が埋設される構成とされることで、全体が強固に安定し、被装着部への装着取り付けも強固になされる。
【考案の効果】
【００１１】  この考案の滑り止め具を使用することで、地震発生時等においてラック上等からの物品の落下が最小限とできるようになる。
【図面の簡単な説明】
【００１２】
【図１】  この考案の載置物品の滑り止め防止具の外観斜視図
【図２】  この考案の載置物品の滑り止め防止具の断面図
【図３】  この考案の載置物品の滑り止め防止具の使用説明図
【図４】  この考案の載置物品の滑り止め防止具の使用説明図
【考案を実施するための形態】
【００１３】  図１はこの考案の載置物品の滑り止め防止具の外観斜視図、図２は同断面図である。滑り止め防止具１は全体がゴム製で、上面部２と上面部２の側縁から下方に連続一体に延び出す一対の側面部３とからなる。上面部２の上面にはその長手方向に沿って複数の凸条７が形成され、側面部３それぞれの外面には上下方向に複数の補強用凸条９が形成されている。両側面部３はその間の距離Ｌが下方に行くに伴って小さくなるように配置され、上面部２と両側面部３の内部の全体に連続して補強金属片８が埋設されている。
【００１４】  図３、図４は滑り止め防止具１の使用状態を示す。滑り止め具１は倉庫等で使用されるラック（載置部）１２の前枠（被装着部）１４の両端近傍と、２本の縦桟（被装着部）１５の後部それぞれに上方から嵌め込み装着されて合計４個用いられている。滑り止め具１はゴム製であって弾力性を有し、両側面部３がその間の距離Ｌが下方に行くに伴って小さくされ、両側面部３それぞれの外面に上下方向に複数の補強用凸条９が形成され、さらに、内部の全体に補強金属片８が埋設されていることで、前枠１４、縦桟１５それぞれに弾力的に密着し強固に安定して取り付けられる。
【００１５】  上記のように４個の滑り止め具１それぞれが配置された状態においてラック１２の載置部１６上にパレット１７が載置されると、滑り止め具１それぞれが弾力的にパレット１７（物品）の底面に密着することでその滑りが抑制され、これにより、地震等の衝撃によりパレット１７が位置ずれすること防止され、パレット上の物品がラック１２から落下することが防止される。また、その際滑り止め具１にはパレット１７側から相当の力がかかるが、上記のように強固に安定して取り付けられていることで前枠１４、縦桟１５から離脱することはない。
【００１６】  とくに、滑り止め具１の上面部２の上面に長手方向に沿って複数の凸条７が形成されていて大きな摩擦抵抗を生じ、これにより凸条７と直交する方向（図４の矢印Ｘ）への滑りがより効果的に抑制される。したがって、図３において前枠１４に装着された滑り止め具１それぞれによりパレット１７の前後方向の滑りがより効果的に抑制され、パレット１７及びその載置物品のラック１２からの前方、後方への滑り落ちが防止される。また、縦桟１５に装着された滑り止め具１それぞれによってはパレット１７の横方向の滑りがより効果的に抑制され、パレット１７及びその載置物品のラック１２からの側方への滑り落ちが防止される。滑り止め具１はさらに多数個用いてもよい。
【符号の説明】
【００１７】１    滑り止め具
２    上面部
３    側面部
１２  ラック（載置部）
１４  前枠（被装着部）
１５  縦桟（被装着部）
１７  パレット（物品）
【図１】
0003184056.tif 000003
【図２】
0003184056.tif 000004
【図３】
0003184056.tif 000005
【図４】
0003184056.tif 000006
(57)【要約】      （修正有）【書類】【課題】公衆衛生上の効果も向上して多大な医療費の軽減の一助にもなる完璧に近いフィルター効果が得られるマスクを提供する。【解決手段】金属線２を封入した、可塑性の高い樹脂１をＵ字型に成型し、Ｕ字溝にマスクの上端部を嵌め込んで、そのマスクを顔面に装着して、マスクの上端の顔面の凹部を指で軽く押すと、マスクは顔面に密接して、清浄な吸気を得る事が出来る。【選択図】図１
0003184060.tif 000002
【実用新案登録請求の範囲】
【請求項１】
衛生上の観点から顔面に装着する布製マスクに関して、可塑性の高い樹脂に金属線を封入したＵ字溝形態の部品を作り、その部品の溝部分にマスクの上端部を嵌め込んで使用するマスクの形態に関するものである。
【考案の詳細な説明】
【技術分野】
【０００１】    この考案は衛生上清浄な呼吸をするために装着するマスクに関するものである。
【背景技術】
【０００２】    従来、平面形状に作られたマスクを装着して呼吸をすると、鼻柱の側面や頬の辺りから外気が直接吸気に混入して、マスクの装着効果は半減して、マスク使用目的が達成されていない。
【考案の開示】
【考案が解決しようとする課題】
【０００３】    千差万別の顔面形状を有する人々が、平面形状に作られたマスクを装着すると、顔面に密接する人もあれば、不具合を生ずる人も居るのが当然である。
通常鼻柱の側面や頬の辺りからマスクを通過せず、外気が直接吸気に混入してマスク装着の効果が半減する。
マスクの装着効果は、マスクの生地が外気中に浮遊する感染症の原因物質、花粉、粉塵等をマスク前面で遮断して清浄な吸気のみをを供給出来ない事が最大の課題である。
【課題を解決するための手段】
【０００４】  課題を解決するために、防錆を力を有し、弾性を有しない、毒性が無く、可塑性に優れた細い金属線又は、金属線を軽く圧して、少し扁平にした金属棒を、巾１５ミリ程の薄い可塑性の高い合成樹脂をＵ字型に成型し、Ｕ字溝の底部又は外壁部の一面に金属線を封入して、平面形に作られるマスクの上端部を、Ｕ字溝に嵌め込んで使用する。
【考案の効果】
【０００５】    本考案のマスクを装着して顔面に沿う様に、金属線封入部を軽く指先で押さえて成形すると、マスク周囲の長さが短縮され、より顔面に密接して装着出来、マスクの材質を透過した清浄な空気のみを吸引する事が出来る。
危険業務に関わる病院関係者ゃ粉塵の多い職場関係者等にも使用価値がある。
【考案を実施するための最良の状態】
【０００６】  本考案の実施を説明する。
細い金属線又は被覆した金属線をマスクの上端部に封入してマスクとして使用する。
マスク上端部に封入してそのマスクを顔面に装着し、金属線封入部を顔面の凹凸に沿って凹部を指先で軽く押すと、マスクの四辺の長さも少し短縮され、頬の辺りの透き間も解消し顔面に密接する。
【図面の簡単な説明】
【０００７】
【図１】  本考案の金属線を封入し、Ｕ字型に成型した樹脂の斜視図である。
【符号の説明】
【０００８】    １は  金属線を封入し、Ｕ字型に成型した樹脂
２は  Ｕ字型に成型した樹脂に封入した金属線
３は  Ｕ字型に成型した樹脂の溝部で、マスク上端部を嵌め込む溝
【図１】
0003184060.tif 000003
(57)【要約】      （修正有）【課題】携帯端末保護ケースに刺繍装飾を貼り付けて高い装飾性と端末の保護を両立し、なおかつ経年変化に耐える端末ケースを提供する。【解決手段】携帯端末保護ケース内側に水溶性基布に刺繍した、一般では行われない刺繍の全表面に高透明度両面接着シートを貼付けたのちカッター等にて刺繍以外の基布を除去し端末保護ケース内側に貼付けたのち、さらに水流にて水溶性基布を除去する。これにより端末に刺繍の優美さを付加すると同時に、汚れの心配が無く経年変化に耐える保護ケースとする。【選択図】図２
0003184067.tif 000002
【実用新案登録請求の範囲】
【請求項１】
水溶性基布に刺繍した刺繍装飾品の表面に高透明の両面接着シートを貼付け、、プラスティック製携帯端末保護ケースの内側に貼付けたのち水溶性基布を除去した携帯端末保護ケース品。
【考案の詳細な説明】
【技術分野】
【０００１】本考案は、電脳刺繍を水溶性基布から取除いて刺繍本体のみを各種携帯端末ケース内側に貼付けることに関するものである。
【背景技術】
【０００２】最近でのデーター通信の高速大容量化に伴い携帯端末の画面はますます大型化しており、利用者においては使用時での落下破損の危険性の増大が認識され端末保護ケースは必須となりつつあります。
【先行技術文献】
【特許文献】
【０００３】
【特許文献１】登録実用新案  ３１３３５７８号  公報
【特許文献２】登録実用新案  ３１８１７３１号  申請人登録済
【非特許文献】
【０００４】
【非特許文献１】有限会社ラム運営、電脳刺繍美術館（刺繍家紋帖）  ｈｔｔｐ：／／ｗｗｗ．ｃｅｄａ．ｏｒｇ  日本古来の家紋１００種以上を電脳刺繍化して利用者に供している
【考案の概要】
【考案が解決しようとする課題】
【０００５】携帯端末本体に直接に装飾パーツを接着、ワッペン等を貼付けた場合は経年変化によりワッペンの剥離、脱落による端末本体の塗装への悪影響の可能性があります。電脳刺繍付端末保護ケースは高い装飾性と端末の保護を両立します。また接着性が悪いＴＰＵプラスティック等への解決方法であります。
【課題を解決するための手段】
【０００６】本考案は携帯端末本体に直接刺繍パーツを貼付けるのではなく、端末保護プラスティックケースの内側に刺繍パーツを貼付けます。この刺繍表面は高透明度画面接着シートを圧着したのち超音波カッター、及び水流により水溶性基布を除去します。また必要に応じて透明保護膜にて刺繍本体を覆います。
【考案の効果】
【０００７】上述のように電脳刺繍を保護ケース内側に接着固定することにより表面に刺繍が露出することが無いので経年変化による問題は発生しません。
また容易にケースの交換ができますので、利用者は服装に合わせて電脳刺繍付ケースを選択できます。
【図面の簡単な説明】
【０００８】
【図１】刺繍表面に両面接着シートを貼付後に超音波カッターにて不要部分を除去
【図２】ケース内側に刺繍装飾物を貼付け後に水流により細部の水溶性基布を除去
【図３】完成図は本考案の電脳刺繍付携帯端末ケースの実施例です。
【考案を実施するための形態】
【実施例】
【０００９】以下、添付図面に従って実施例を説明する。
（１）は水溶性基布を用いた刺繍装飾物の表面を極薄高透明度ポリプロピレンフィルムを      基布とした両面接着シートにて覆い圧着後に不要部分を除去する。
（２）は端末保護ケース内側に刺繍装飾物を両面接着シートにて貼付け圧着して固定した      のち水流にて水溶性基布を除去して刺繍本体だけの状態である。
状況に応じて端末に刺繍裏側を透明薄膜で覆います。
（３）は端末に実際にケースを取付けた場合です。
【符号の説明】
【００１０】１  携帯端末ケース本体
２  電脳刺繍本体（水溶性基布使用）
３  極薄高透明度ポリプロピレンフィルム基布両面接着シート
４  刺繍保護薄膜
【図１】
0003184067.tif 000003
【図２】
0003184067.tif 000004
【図３】
0003184067.tif 000005
(57)【要約】      （修正有）【課題】髪についたホコリや汚れを簡単に取るヘアブラシを提供する。【解決手段】ブラシ部とブラシ部の間に着脱可能なブラシ植設体をもうけることにより、ホコリや汚れを着脱可能なブラシ植設体に集める構造とする。汚れたらブラシ植設体をヘアブラシよりはずして洗浄することで、何度も再使用できる。【選択図】図１
0003184065.tif 000002
【実用新案登録請求の範囲】
【請求項１】
ブラシの植設部とブラシの植設部の間に  着脱できるブラシ植設体をとりつけた事を特徴とするヘアブラシ。
【考案の詳細な説明】
【技術分野】
【０００１】本考案は髪をブラッシングするヘアブラシに関するものである。
【背景技術】
【０００２】従来のブラシには  ブラシ植設台にカバーや布をとりつけて  ブラッシングして髪についたホコリや汚れをとる機能をもつものがある。
【考案の開示】
【考案が解決しようとする課題】
【０００３】従来の植設台にカバーや布をとりつけたブラシでは  カバーや布が平坦なのでなかなか髪についたホコリや汚れをひっかけて取ることが困難であった。
【課題を解決するための手段】
【０００４】本考案のブラシの植設部とブラシ植設部の間に  着脱できるブラシ植設体をとりつけた事を特徴とするヘアブラシを提供する。
【考案の効果】
【０００５】［図１］が本考案のブラシの植設部とブラシの植説部の間に  着脱可能なブラシ植設体をとりつけたヘアブラシで、ブラッシングすると  ブラシとブラシの間のブラシ植設体のブラシにホコリや汚れがひっかかる。かつ布等と違って  洗浄してブラシ植設体をきれいにし  何度も再使用できる。
【実施例】
【０００６】［図１］のように本考案はブラッシングすると  着脱可能なブラシ植設体にホコリや汚れを集めることができる。
【産業上の利用可能性】
【０００７】本考案は効率よくホコリや汚れを集めて、衛生的であるとともに  着脱可能なブラシ植設体は洗浄することにより  何度も使用でき、資源を節約することができる。なる。
【図面の簡単な説明】
【０００８】
【図１】本考案のヘアブラシ
【図１】
0003184065.tif 000003
(57)【要約】      （修正有）【課題】弾性繊維の特徴である伸張性と緊迫力（パワー）との関係を利用し、最も必要な部位に緊迫力（パワー）が段階的にかかる構造にし、弾性繊維のパワーバランスにより女性の骨盤底筋の緩みを下支えし、加齢や出産、肥満により緩んだ骨盤底筋の機能を補完する効果を発揮させるパターン構造と縫製技術によるガードルを提供する。【解決手段】ガードル１０のマチパターン１３を前マチ底付近で前側と後側に二分割し、前側と後側の縫製個所の辺長に寸法差をつけて縫製する。縫製部分の形状を後側に突き出した三角形状とし、三角形の頂点の位置がマチパターンの中央を通り、前マチ付け１２より中心線上にマチ丈の３分の１の位置にあり、ダーツの角度が４０度〜６０度であり、さらに、前側と後側の縫製箇所の大きい方の辺長が、小さい方の辺長に対して、１．１〜１．５倍とする。【選択図】図１
0003184316.tif 000002
【実用新案登録請求の範囲】
【請求項１】
マチパターンをマチ底付近で前側と後側に分割し、前記前側と後ろ側の縫製箇所の辺長に寸法差をつけて縫製することを特徴とするガードル。
【請求項２】
マチパターンを前側と後側に二分割して形成される縫製部分の形状が、前記後側に突き出した三角形状であることを特徴とする請求項１に記載のガードル。
【請求項３】
前記前側の縫製箇所の辺長が、前記後側の縫製箇所の辺長に対して１．１〜１．５倍であることを特徴とする請求項１及び２に記載のガードル。
【請求項４】
前記三角形のマチパターンの頂点の位置が、マチパターンの中心線上で、前マチ付け部分よりマチ丈の３分の１付近であることを特徴とする請求項１乃至３に記載のガードル。
【請求項５】
前記前マチパターンと後マチパターンの縫製箇所の角度（ダーツ角度）が４０度〜６０度であることを特徴とする請求項１乃至４に記載のガードル。
【考案の詳細な説明】
【技術分野】
【０００１】
本考案は、女性の加齢、肥満、出産等により緩んだ「骨盤底筋群」を支え、機能の一部をサポートすることで尿失禁の現象を低減するガードルに関するものである。
【背景技術】
【０００２】
尿失禁とは、本人の意志によらず尿をしたくない時や場所で漏れたり、出てしまうことを言い、これが日常生活のうちで不快や不自由をもたらし、生活の質を低下させる。軽いものを含めると、成人女性の約３割で尿失禁の経験があるといわれる。
【０００３】
その中で女性に特有な現象が「腹圧性尿失禁」と呼ばれる症状である。
「腹圧性尿失禁」は、咳やくしゃみをした時、ぱっと立ち上がった時、階段を下りる時など、お腹に力が加わる動作時に生じるという特徴がある。
【０００４】
主な要因としては、「骨盤底筋群」と呼ばれる股間から肛門にかけて広がっている筋肉が、加齢、出産、肥満により緩むと、膀胱や尿道はお尻の下部へ下がり気味になり、腹圧が加わった瞬間の尿道閉鎖が不良となり、失禁につながる。
【０００５】
従来は、女性の尿失禁に対しては吸水効果を有した素材を使い、パットあるいはおむつのような形のショーツやガードルで対応していた。（特許文献１）
【０００６】
そのため、嵩張ってアウターがすっきり着こなせなかったり、使用される素材によっては繊維の摩擦音が気になったりして、快適に装着しているとはいえなかった。
【特許文献１】特開２００４−２３００６４号
【考案の開示】
【考案が解決しようとする課題】
【０００７】
女性下着の主要な素材である「弾性繊維」のパワー（伸張性と緊迫力）とパターンの構造を利用し加齢、出産、肥満により緩んだ「骨盤底筋群」を支え、緩んだ筋肉を補完しサポートを可能にし、尿失禁の現象そのものを軽減するガードルを提供する。
【課題を解決するための手段】
【０００８】
ガードルのマチパターンの底部付近でダーツをとる事により、マチ中央部からマチ外辺部にかけて段階的にパワー（緊迫力）が働くようにする事で、ガードル正面より見てアーチ状にパワーがかかる構造となる。
その結果、骨盤底筋を下から支えるようにパワー（緊迫力）がかかる構造を持たせる事が可能となり。体の中心部から外側に段階的にパワーが強まる構造をとる事で着用時の窮屈感を軽減させる。
【実施例】
【０００９】
図１は、本考案の実施形態に係わる骨盤底筋サポートガードル１０を示し、マチパターン１３はマチ底付近で前マチパターン１３ａと後マチパターン１３ｂに分割されており、分割された前記前マチパターン部分の形状は後側に突き出した三角形状をしている。
【００１０】
図３において、前記三角形状の頂点の位置はマチパターンの中心線上で前マチ付け部分よりマチ丈の3分の１付近にあり、また前記前マチパターン１３ａと後マチパターン１３ｂの縫製箇所の角度（ダーツ角度）は４０度から６０度である。
【図面の簡単な説明】
【００１１】
【図１】新規考案パターンにより縫製したガードルを正面より見た説明図である。
【図２】本考案によるパターンの概念を示す縫製前のガードル全体説明図である。
【図３】本考案によるパターンの概念を示す縫製前のマチ部分説明図である。
【図４】本考案による着用後のパワーのかかる部位を下から見た説明図である。図中の矢印は、緊迫力（パワー）がかかる状態を示す。
【図５】本考案パターンにより縫製されたガードル着用後のマチ部分を正面より見た説明図である。マチ底部分にパワーがかかり底部を押し上げている。
【図６】従来パターンにより縫製されたガードルパワーがかかっておらず着用後のマチ部分を正面より見た説明図である。マチ底部分が膨らんでいる。
【図７】従来品による防水布装着後のマチ部分を下から見た説明図である。
【図８】本考案品を人体に着用した場合の説明図である。
【符号の説明】
【００１２】
１０    ガードル
１１    ガードル本体パターン
１２    前マチ付け
１３    マチ
１３ａ  前マチパターン  
１３ｂ  後マチパターン
１４    ガードル全体パターン
１５    腹部側
１６    臀部側
Ａ    ダーツ角度
Ｌ    マチ丈
Ｐ    三角形の頂点
【図１】
0003184316.tif 000003
【図２】
0003184316.tif 000004
【図３】
0003184316.tif 000005
【図４】
0003184316.tif 000006
【図５】
0003184316.tif 000007
【図６】
0003184316.tif 000008
【図７】
0003184316.tif 000009
【図８】
0003184316.tif 000010
(57)【要約】      （修正有）【課題】要介護者が車椅子に座り移動する時に、体勢が前方にずれない座布団を提供する。【解決手段】座席部１１と背もたれ部１２が連接され、座席部における太股部座面の方が臀部座面に比べて厚みを大きく形成し、体の重心が臀部により大きくかかるようにする。また、背もたれ部の上端及び座席部と背もたれ部の連接部位に紐体１３を設けて座布団を車椅子に強固に固定する。【選択図】図１
0003184319.tif 000002
【実用新案登録請求の範囲】
【請求項１】
座席部（１１）と背もたれ部（１２）が連接され、座席部（１１）における太股部座面（１１ａ）の方が臀部座面（１１ｂ）に比べて厚みを大きく形成した座布団。
【請求項２】
背もたれ部（１２）の上端及び座席部（１１）と背もたれ部（１２）の連接部位（１５）に紐体（１３）を設けた請求項１記載の座布団。
【考案の詳細な説明】
【技術分野】
【０００１】
本考案は座布団に関し、より詳しくは身体が不自由な老人や、その他要介護者が使用するのに適した座布団に関する。
【背景技術】
【０００２】
主クッションの前方上面に着脱自在に副クッションを取り付け、被介護者の大腿部が持ち上がるようにすることで、臀部が前方にずれないようにした、車いす用座布団が特許文献１に開示されている。
【０００３】
略平坦な臀部載置部と、この臀部載置部より高く盛り上がった大腿部載置部を有する車いす用座布団が、特許文献２に開示されている。
【先行技術文献】
【特許文献】
【０００４】
【特許文献１】特開２００３−７０８４４号公報
【特許文献２】登録実用新案公報第３１１７９１７号
【考案の概要】
【考案が解決しようとする課題】
【０００５】
例えば身体が不自由な老人や、その他要介護者が車椅子で移動する場合、自力で体勢を維持できず、図６に示すように要介護者３の臀部が前方にずれてしまうことがある。係る体勢に至ると腰その他の部位に負担がかかると共に、場合によっては車椅子１からずれ落ちてしまう恐れもある。
【０００６】
一方、かかる事態を避けるべく、同伴の介護者が要介護者の姿勢をもとに戻すことは、体力面で負担が大きい。
【０００７】
そこで本考案は要介護者が車椅子に座った時などに、体勢が前方にずれない座布団を提供することを目的とする。
【課題を解決するための手段】
【０００８】
上記の目的を達成する本考案の構成は次の通りである。
【０００９】
（１）  請求項１に記載の考案は、座席部と背もたれ部が連接され、座席部における太股部座面の方が臀部座面に比べて厚みを大きく形成した。
【００１０】
（２）  請求項２に記載の考案は、請求項１記載の座布団において、背もたれ部の上端及び座席部と背もたれ部の連接部位に紐体を設けて構成した。
【考案の効果】
【００１１】
上記のように構成される本考案が、如何に作用して課題を解決するかを図面を参照しながら概説する。
【００１２】
本考案にかかる座布団１０は図１や図２に示すように座席部１１と背もたれ部１２が連接されたものであり、図５に示すように使用状態において、要介護者３が凭れ掛かることによって、背もたれ部１２が車椅子１の背もたれ面２に押圧される。これにより、背もたれ部１２と背もたれ面２の間に大きな摩擦力が生じ、座布団１０がズレることを抑制可能となるのである。
【００１３】
また、本考案にかかる座布団１０は、座席部１１における太股部座面１１ａの方が、臀部座面１１ｂに比べて厚みを大きく形成してある。かかる構成により、要介護者の重心が太股部よりも臀部により大きくかかることになり、これにより、要介護者が前方にズレることを抑制可能となるのである。
【００１４】
更には、請求項２記載の考案によれば、図３に示すように、紐体１３を車椅子のフレーム１ａに縛ることで、座布団１０をより強固に車椅子１に固定することが可能となる。すなわち、要介護者が前方にズレることを抑制可能となるのである。
【図面の簡単な説明】
【００１５】
【図１】本考案の斜視図
【図２】同、正面図
【図３】同、Ａ−Ａ線断面図
【図４】本考案を車椅子に取り付けた状態を示す説明図
【図５】本考案の使用状態を示す説明図
【図６】車椅子着座時の説明図
【考案を実施するための形態】
【００１６】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１７】
図1は、本発明に係る座布団を示す斜視図であって、この座布団１０は、略方形の座席部１１と同じく略方形の背もたれ部１２とが連接されたものであり、連接部位１６において、折り曲げ自在なものである。
【００１８】
座席部１１の外観形状は、図２における座席部１１の左側すなわち太股部座面１１ａをを前部、右側すなわち臀部座面１１ｂを後部とすると、後部から前部に向かって厚みが増していく構造に形成されている。具体的には後部端は厚みが３０ｍｍ程度、前部端は厚みが６０ｍｍ程度が好ましい。むろんこの厚みは一例であり、適宜用途に合わせ変更可能である。
【００１９】
背もたれ部１２は直方体形状を呈し、厚みは３０ｍｍ程度が好ましい。むろんこの厚みは一例であり、適宜用途に合わせ変更可能である。
【００２０】
座席部１１、背もたれ部１２共に袋状のカバー１４で覆われており、背もたれ部１２の上端及び座席部１１と背もたれ部１２の連接部位１６におけるカバー１４に、紐体１３がそれぞれ一対取り付けられている。カバー１４には開放口が設けられており、ファスナー１４ａにより開閉自在に設けられており、内部には図３に示すようにクッション材１６が装備されている。
【００２１】
カバー１４の材質は、洗濯と吸水性等を考慮して綿製のものが良いが、その他の布であっても良い。
【００２２】
クッション材１６は、ウレタン単体から構成してもよいし、スプリングを配設してもよい。また、ポリエステル、ラテックス、樹脂発泡体、繊維等の材料を用いてもよい。また、これらの材料を組み合わせて構成してもよい。また、その硬度は、適宜設定すればよい。
【符号の説明】
【００２３】
１０・・座布団        １１・・座席部        １１ａ・・太股部座面
１１ｂ・・臀部座面    １２・・背もたれ部    １３・・紐体
１４・・カバー        １５・・連接部位      １６・・クッション材
【図１】
0003184319.tif 000003
【図２】
0003184319.tif 000004
【図３】
0003184319.tif 000005
【図４】
0003184319.tif 000006
【図５】
0003184319.tif 000007
【図６】
0003184319.tif 000008